(57)【特許請求の範囲】
【請求項１】
アナログ形式で送られてきた放送信号を受信する第１の受信手段と、
デジタル形式で送られてきた放送信号を受信する第２の受信手段と、
該第１の手段で受信したアナログ放送信号または該第２の手段で受信したデジタル放送信号を記録し、記録された信号を再生する記録再生手段と、
該デジタル放送信号から番組情報を抽出する抽出手段と、
記録したアナログ放送信号及びデジタル放送信号の内容に関する録画データであって、記録したアナログ放送信号の録画日と受信チャネル及び記録したデジタル放送信号の録画日と該デジタル放送信号から抽出された番組情報を含む録画データを生成する録画データ生成手段と、
該録画データに含まれる該アナログ放送信号の録画日と受信チャネル及び該デジタル放送信号の録画日と番組情報を画面上に一覧表示するように出力する手段と、
を備えることを特徴とする放送信号記録再生装置。
【請求項２】
請求項１記載の放送信号記録再生装置において、
デジタル放送信号から抽出した該番組情報は、少なくとも番組タイトルを含むことを特徴とする放送信号記録再生装置。
【請求項３】
請求項２記載の放送信号記録再生装置において、
アナログ放送信号の録画データを表示する場合は、番組タイトルに代えて受信チャンネルを表示することを特徴とする放送信号記録再生装置。
【請求項４】
請求項１記載の放送信号記録再生装置において、
該録画データは、記録されている信号が該アナログ放送信号の場合においても外部からの操作により番組タイトルを設定可能であることを特徴とする放送信号記録再生装置。
【請求項５】
請求項１記載の放送信号記録再生装置において、
該録画データは、録画時間を含むことを特徴とする放送信号記録再生装置。
【請求項６】
請求項１記載の放送信号記録再生装置において、
該録画データは、録画モードを含むことを特徴とする放送信号記録再生装置。
【請求項７】
請求項１記載の放送信号記録再生装置において、
該録画データは、該記録媒体の記録可能時間を含むことを特徴とする放送信号記録再生装置。
【請求項８】
請求項１記載の放送信号記録再生装置において、
該録画データ生成手段は、記録した信号がアナログ放送信号の場合には録画日と受信チャネルにより録画データを生成し、デジタル放送信号の場合には録画日と番組情報により録画データを生成することを特徴とする放送信号記録再生装置。
【発明の詳細な説明】
【０００１】
【発明の属する技術分野】
本発明は磁気テープに記録された番組の頭だしを容易に行えるビデオテープレコーダに係り、特に、ディジタル放送番組及びアナログ放送番組を共通に管理する映像信号記録再生装置に関する。
【０００２】
【従来の技術】
家庭用のビデオテープレコーダ（以下、ＶＴＲと称する）において、テープに記録された内容をテレビジョン（以下、ＴＶと称する）の画面上に一覧表示し、指定した番組を検索して再生する技術としては、例えば、本出願人により特願平６-１６１８４２号（特開平８-３２９２２号）で提案されている。
【０００３】
一方、次世代のＴＶ放送として衛星を用いたディジタル放送が開始されており、そのディジタル衛星放送を受信してアナログ信号に戻した映像及び音声信号を出力するディジタル衛星放送受信機（以下、ＩＲＤと称する）が実用化されている。
【０００４】
また、現行のアナログＶＴＲと互換性を有しながら、ディジタル衛星放送などのディジタル圧縮符号化された映像及び音声信号をディジタル信号のまま記録し再生できるＶＴＲとしては、例えば、本出願人により特願平６-３１４４５０号（特開平８-１７１７０１号）で提案されている。
【０００５】
【発明が解決しようとする課題】
前述の特開平８-３２９２２号では、記録時に、記録するアナログ映像信号の垂直帰線期間にＶＴＲの製造番号とテープＩＤを埋め込み、再生時に、再生したアナログ映像信号の垂直帰線期間の情報を抽出することにより、前もって記憶しておいた録画番組情報を識別する。しかし、ディジタル衛星放送などのディジタル圧縮符号化された映像及び音声信号をディジタル信号のまま記録再生できるＶＴＲへの応用に関しては何も配慮されていなかった。
【０００６】
一方、上記特開平８-１７１７０１号では、再生したディジタル信号をデコードして元のアナログ映像及び音声信号に変換する処理が必要となるが、記録した番組内容をＴＶ画面上に一覧表示し、指定した番組を検索して再生する処理に関しては何も配慮されていなかった。
【０００７】
そのため、一巻のテープにディジタル映像信号とアナログ映像信号を混在して記録した場合に、上記従来技術の組合せでは、テープ上に記録されたディジタル映像番組を容易に検索できなかった。
【０００８】
本発明の目的は、アナログ放送番組とデジタル放送番組を混在して記録した場合においても、番組を容易に検索できる放送信号記録再生装置を提供することにある。
【0009】
【課題を解決するための手段】
上記目的を達成するために本発明では、アナログ形式で送られてきた放送信号を受信する第１の受信手段と、デジタル形式で送られてきた放送信号を受信する第２の受信手段と、  該第１の手段で受信したアナログ放送信号または該第２の手段で受信したデジタル放送信号を記録し、記録された信号を再生する記録再生手段と、該デジタル放送信号から番組情報を抽出する抽出手段と、記録したアナログ放送信号及びデジタル放送信号の内容に関する録画データであって、記録したアナログ放送信号の録画日と受信チャネル及び記録したデジタル放送信号の録画日と該デジタル放送信号から抽出された番組情報を含む録画データを生成する録画データ生成手段と、該録画データに含まれる該アナログ放送信号の録画日と受信チャネル及び該デジタル放送信号の録画日と番組情報を画面上に一覧表示するように出力する手段と、を備えるようにした。
【００１０】
さらに、本発明では、デジタル放送信号から抽出した番組情報は、少なくとも番組タイトルを含むようにした。
【００１１】
【発明の実施の形態】
以下、本発明の実施例を図面を用いて説明する。
【００１２】
図１は本発明による映像信号記録再生装置の一実施例を示すブロック図である。ここで、１０はＶＴＲ、６０はＩＲＤ、９０はＴＶである。矢印が付けられた実線は映像及び音声信号の流れを示し、点線は制御の流れを示している。また、ＶＴＲ１０とＩＲＤ６０はお互いに相手の状態を制御したり、状態を取得したりすることができるように通信線５０で結ばれている。
【００１３】
まず、ＶＴＲ１０の構成を説明する。
【００１４】
１１は磁気テープ、１２、１３及び１４は磁気ヘッド、１５及び１６は磁気テープ１１を巻き取るリール、１７はリール１５及び１６の回転制御を行うサーボ回路である。尚、図示はしないが、磁気ヘッド１２、１３及び１４が取り付けられた回転ドラムや、磁気テープ１１を走行させるメカニズムもこのサーボ回路１７により制御される。
【００１５】
２１はアナログ放送信号の入力端子、２２は入力したアナログ放送信号からアナログ映像及び音声信号を復調するアナログ放送受信チューナである。このアナログ放送受信チューナ２２は、復調した音声信号をＬ／Ｒのステレオ音声信号あるいは主／副のいわゆる二ヵ国語音声信号にデコードする機能も備え、このデコード情報は番組情報としてＶＴＲシステム制御回路５２に送られる。２５は記録すべきアナログ映像信号にテープ識別情報を付加する識別情報付加回路である。２６はアナログ映像信号の記録再生処理を行うアナログ映像信号処理回路であり、記録時には入力信号をそのまま出力するとともに、記録処理した信号を磁気ヘッド１２に供給して記録し、再生時には磁気ヘッド１２が再生した信号を再生処理して出力する。２７は再生したアナログ映像信号から付加されたテープ識別情報を抽出する識別情報抽出回路である。
【００１６】
３６はアナログ放送受信チューナ２２で復調したアナログ音声信号の記録再生処理を行うアナログ音声信号処理回路であり、記録時には入力信号をそのまま出力するとともに、記録処理した信号を磁気ヘッド１３に供給して記録し、再生時には磁気ヘッド１３が再生した信号を再生処理して出力する。
【００１７】
８１は信号線８０を介してＩＲＤ６０から供給されるデジタル放送の受信映像及び音声信号の入力端子である。８２及び８３は出力ソースを切り換えるスイッチ回路であり、アナログ放送の受信信号を記録再生する場合は接点Ａ側に、ディジタル放送の受信信号を記録再生する場合は接点Ｄ側に接続される。２８は入力したアナログ映像信号または内部で生成するアナログ映像信号を背景に情報を多重するオン・スクリーン・ディスプレイ（以下、ＯＳＤと称する）回路である。尚、入力した映像信号を背景にして情報を表示することを「スーパーインポーズ表示」、内部で生成する映像信号を背景にして情報を表示することを「ブルーバック表示」と呼び、以下これらの用語を使用する。２９はＶＴＲ１０からアナログ映像及び音声信号を出力する出力端子である。
【００１８】
４１は通信線４０を介してＶＴＲ１０とＩＲＤ６０とでやり取りするディジタル映像及び音声信号の入出力端子である。４２は記録すべきディジタル映像及び音声信号にテープ識別情報を付加し、再生したディジタル映像及び音声信号からテープ識別情報を分離する識別情報付加及び分離回路である。４３はディジタル映像び音声信号の記録再生処理を行うディジタル信号処理回路であり、記録時にはテープ識別情報を付加したディジタル映像び音声信号を記録処理して磁気ヘッド１４に供給して記録し、再生時には磁気ヘッド１４が再生した信号を再生処理して出力する。
【００１９】
５１は通信線５０を介してＶＴＲ１０とＩＲＤ６０のとでやり取りする制御情報の入出力端子である。５２はＶＴＲ１０の全体の制御を行うＶＴＲシステム制御回路であり、ＶＴＲ１０の各部の動作を制御するとともに、現在の時刻と日付情報を発生する時計及びカレンダー機能を有している。５３は不揮発性のメモリ回路で、磁気テープ１１上に記録した番組の頭出しに用いる情報データを読み書きできるようになっている。
【００２０】
次に、ＩＲＤ６０の構成要素を説明する。
【００２１】
６１はディジタル放送信号の入力端子、６２は入力したディジタル放送信号を復調するディジタル放送受信チューナである。６３はインターフェース回路であり、記録時にはデジタル放送受信チューナ６２で復調されたデジタル映像及び音声信号を所定のフォーマットに従って処理し端子６５を介してＶＴＲ１０に送信し、再生時には、ＶＴＲ１０からのディジタル映像及び音声信号を端子６５を介して受信し、デフォーマット処理した信号を出力する。６４はスイッチ回路であり、記録時はＲ側に、再生時はＰ側に接続され、供給された信号を切り換える。尚、この切換は、ＩＲＤシステム制御回路７２が通信線５０を通じてＶＴＲ１０の走行状態を監視することにより自動的に行われ、ＶＴＲ１０がデジタル映像及び音声信号の再生中である場合に限りスイッチ回路６４を接点Ｐ側に切り換える。６６はディジタル放送受信チューナ６２が受信したディジタル映像及び音声信号、或いはＶＴＲ１０が再生したディジタル映像及び音声信号を受け、元のアナログ映像び音声信号に変換するデコーダである。６７はディジタル映像及び音声信号の中の番組配列情報と呼ばれる情報より番組の放送日時、ジャンル、タイトル名などを抽出する番組情報抽出回路であり、ここで抽出した番組情報はＩＲＤシステム制御回路７２、通信線５０及びＶＴＲシステム制御回路５２を介してメモリ回路５３に記憶される。６９はデコードされたアナログ映像び音声信号を出力する出力端子であり、ここから出力されたアナログ映像及び音声信号は信号線８０を介してＶＴＲ１０のアナログ映像入力端子８１に供給される。
【００２２】
７１はＶＴＲ１０とＩＲＤ６０の制御情報をやり取りする通信線５０の入出力端子である。７２はＩＲＤ６０の動作全体の制御を行うＩＲＤシステム制御回路であり、ＩＲＤ６０の各部の動作を制御する。
【００２３】
以下、本実施例の動作について詳しく説明する。
【００２４】
先ず、アナログ放送番組の記録再生時の動作を説明する。
【００２５】
記録モードがアナログ記録に設定されていると、アナログ放送受信チューナ２２で復調されたアナログ映像信号は、識別情報付加回路２５でテープ識別情報が付加され、アナログ映像信号処理回路２６で記録処理されて磁気ヘッド１２にて磁気テープ１１上に記録される。このとき、ＶＴＲシステム制御回路５２は、記録している番組の録画日時などの番組情報をメモリ回路５３に記憶する。また、アナログ映像信号処理回路２６に入力したアナログ映像信号は、スイッチ回路８２、及びＯＳＤ回路２８を介して出力端子２９から出力される。一方、アナログ放送受信チューナ２２で復調されたアナログ音声信号は、アナログ音声信号処理回路３６で記録処理されて磁気ヘッド１３にて磁気テープ１１上に記録されるとともに、スイッチ回路８３を介して出力端子２９から出力され、ＴＶ９０で記録中のアナログ放送番組が視聴できる。
【００２６】
アナログ再生時は、磁気ヘッド１２で再生したアナログ映像信号がアナログ映像信号処理回路２６で再生処理され、スイッチ回路８２、及びＯＳＤ回路２８を介して出力端子２９から出力される。このとき、識別情報抽出回路２７は、アナログ映像信号処理回路２６で再生処理されたアナログ映像信号からテープ識別情報を抽出する。一方、磁気ヘッド１３で再生したアナログ音声信号がアナログ音声信号処理回路３６で再生処理され、スイッチ回路８３を介して出力端子２９から出力され、ＴＶ９０で再生中のアナログ放送番組を視聴する。
【００２７】
次に、ディジタル放送番組の記録再生時の動作を説明する。
【００２８】
記録モードがディジタル記録に設定されていると、ディジタル放送受信チューナ６２で復調したディジタル映像及び音声信号は、インターフェース回路６３で所定のフォーマットに従って処理され、端子６５を介してＶＴＲ１０に送信される。その信号は、通信線４０、端子４１を介して識別情報付加及び分離回路４２に入力されてテープ識別情報が付加され、ディジタル信号処理回路４３により記録処理され、磁気ヘッド１４にてテープ１１上に記録される。一方、ディジタル放送受信チューナ６２で復調したディジタル映像及び音声信号は、スイッチ回路６４を介してデコーダ６６及び番組情報抽出回路６７にも入力され、デコーダ６６でアナログ映像及び音声信号に変換され、出力端子６９から出力される。番組情報抽出回路６７では番組配列情報と呼ばれる情報より番組の放送日時、ジャンル、タイトル名などを抽出し、ＩＲＤシステム制御回路７２、通信線５０及びＶＴＲシステム制御回路５２を介して、メモリ回路５３にその内容が記憶される。さらに、デコーダ６６でデコードされたアナログ映像及び音声信号は、信号線８０を介して入力端子８１からＶＴＲ１０に入力され、アナログ映像信号はスイッチ回路８２およびＯＳＤ回路２８を介して、アナログ音声信号はスイッチ回路８３を介して、ともに出力端子２９から出力され、ＴＶ９０で記録中のディジタル放送番組を視聴することができる。
【００２９】
ディジタル信号の再生時は、磁気ヘッド１４で再生したディジタル映像及び音声信号は、ディジタル信号処理回路４３で再生処理され、識別情報付加及び分離回路４２でテープ識別情報が分離され、端子４１から出力される。この信号は、通信線４０、端子６５を介して受信し、インターフェース回路６３でデフォーマット処理した後、スイッチ回路６４を介してデコーダ６６に供給され、ここでアナログ映像及び音声信号に変換され、出力端子６９から出力される。さらに、この信号は入力端子８１からＶＴＲ１０に戻され、アナログ映像信号はスイッチ回路８２およびＯＳＤ回路２８を介して、アナログ音声信号はスイッチ回路８３を介して、ともに出力端子２９から出力され、ＴＶ９０で再生中のディジタル放送番組を視聴する。
【００３０】
以上が、本実施例における基本動作である。
【００３１】
次に、本発明の特徴である機能（以下、テープ・ナビゲーション機能、或いは略してテープナビ機能と称する）について説明する。これは、録画テープ及び番組に整理番号を付け、録画データ（録画日、開始時刻、チャンネル、録画モード、番組タイトルなど）を登録してテープ毎に管理し、このデータを利用して、テープの中身を一覧表示したり、番組の頭出しをする機能のことである。
【００３２】
このテープ・ナビゲーション機能を実現するために、本実施例では以下の処理を行う。
【００３３】
（１）メモリ回路５３にテープ毎及び番組毎の録画データを整理番号をつけて記憶し、アナログ番組、ディジタル番組ともに一括管理する。
【００３４】
（２）識別情報付加回路２５或いは識別情報付加及び分離回路４２でテープの整理番号やテープ長手方向の絶対位置などのテープ識別情報を記録信号に付加して記録し、識別情報抽出回路２７或いは識別情報付加及び分離回路４２で再生した信号からその識別情報を抽出或いは分離する。
【００３５】
（３）ＶＴＲシステム制御回路５２で、上記抽出した識別情報からメモリ回路５３に記憶した番組タイトルなどの録画データを検索する。
【００３６】
（４）ＯＳＤ回路２６でその録画データを一覧表示するための信号を生成して映像信号に重畳する。
【００３７】
（５）サーボ回路１７で指定された番組の頭だしを行う。
【００３８】
以下、このテープ・ナビゲーション機能の処理を詳しく説明する。
【００３９】
まず、記録時の処理について説明する。
【００４０】
ユーザーがテープを挿入すると、ＶＴＲ１０はテープに記録されたテープ識別番号を検出するために予備再生を行い、再生された信号からテープ識別番号とテープ絶対位置を抽出する。ここで、テープの整理番号が検出できないときは、挿入したテープが未記録テープと判断して、現在使用していないテープ番号を割り当て、また、テープの絶対位置が検出できないときには、サーボ回路１７が計算したテープの走行時間をテープ絶対位置として使用する。
【００４１】
ユーザーから録画の指示がされると、ＶＴＲシステム制御回路５２は、先に予備再生で検出あるいは新たに割り当てたテープ番号、及び番組の整理番号、録画日、録画開始時刻、録画モード、録画チャンネル、番組タイトル、記録開始時のテープ絶対位置を示す開始アドレス、記録した信号がアナログかディジタルかを示す情報、などを記録した番組の録画データとして記憶する。
【００４２】
図２はメモリ回路５３に記憶される情報のライブラリメモリマップの一例を示し、メモリ２００は３種類の情報より構成される。
【００４３】
管理情報２１０はＶＴＲの製造番号、空きリストの先頭ポインタ／最尾ポインタ／空きメモリ量、テープリスト情報の先頭ポインタ、現在の一貫テープ番号よりなる。ＶＴＲの製造番号は自己録画再生の認識に使用する。空きリストポインタは、新たに番組を録画したときに、データを格納すべきアドレスを示す。また、空きメモリ量によってメモリが一杯になったことの警告が可能である。一貫テープ番号は、テープをライブラリから削除した後、テープ番号の重複を防ぐために、内部で自動的に累進するカウンタである。
【００４４】
テープリスト情報２２０はテープ一巻毎の管理データを格納する。次のテープリスト情報の所在を示すポインタ、テープを識別するためのＩＤとして表示用番号／一貫テープ番号／テープ種別／用途、全体の番組数、番組リストのアドレスを示すポインタよりなる。種別データは、Ｔ−６０／Ｔ−１２０／Ｔ−１４０／Ｔ−１６０／ＤＦ−３００／ＤＦ−４２０などのテープ種別を格納する。これにより、カセット装填時に毎回種別判別をしなくても済む。
【００４５】
番組リスト情報２３０は記録番組毎のデータを記憶する部分である。次の番組リストの所在を示すポインタ、テープ上の番組位置データ、録画日時、チャネル及びモードを示すデータ、番組ごとの”みた／見ない／保存”を示すデータ、及びステレオ／２か国語の音声モードデータよりなる。ここで、本発明と従来例との相違は、番組のタイトル情報、及び録画モードとして記録した信号がアナログかディジタルかを示す情報も記憶することにある。尚、アナログ放送番組を録画する場合、番組タイトルはユーザーが直接入力しなければならないが、ディジタル放送番組を録画する場合には、先に述べたように、番組情報抽出回路６７が番組の放送日時、ジャンル、タイトル名などを抽出する機能を備えているので、ＶＴＲシステム制御回路５２は通信線５０を介してそれらの情報を受け取り、メモリ回路５３に自動的に記憶させることができる。
【００４６】
一方、記録中は、上記マップ情報の内、管理情報２１０の中からはＶＴＲの製造番号、テープリスト情報２２０の中からは一貫テープ番号、番組リスト情報２３０の中からはテープ上の位置データ、などのテープ識別情報が識別情報付加回路２５或いは識別情報付加及び分離回路４２により付加され、記録信号と共に磁気テープ１１上に記録される。尚、テープ上の位置データはＶＴＲシステム制御回路５２により一秒毎に加算される。
【００４７】
尚、これらのテープ識別情報は、識別情報付加回路２５では、例えば特開平８-３２９２２号に記載された方法と同様に、映像信号の垂直帰線期間に多重され、識別情報付加及び抽出回路４２では、例えば図３のトラックフォーマットに示すように、ディジタル映像及び音声信号を記録する主データ領域とは別に設けたサブコード領域及び／または補助データ領域に多重される。
【００４８】
そして、ユーザーから録画終了の指示がされると、ＶＴＲシステム制御回路５２はテープの走行を停止し、同時に、記録終了時のテープ絶対位置を示す終了アドレスを記憶し、開始及び終了アドレスから実際の録画時間を計算し、記録開始時に記憶しておいた録画データと共にメモリ回路５３に書き込む。
【００４９】
次に、再生時の動作について説明する。
【００５０】
ユーザーが記録済みテープを挿入すると、ＶＴＲ１０はテープに記録されたテープ識別情報を検出するために予備再生を行う。識別情報抽出回路２７または識別情報付加及び分離回路４２は、予備再生により再生された信号からＶＴＲ製造番号、テープ識別番号、テープ絶対位置アドレスなどのテープ識別情報を抽出する。
【００５１】
ここで、ユーザーからテープ内容一覧表示が指示（テープ・ナビゲーション機能が「ＯＮ」に設定）されると、ＶＴＲシステム制御回路５２は、予備再生で検出したテープ識別情報を元に、メモリ回路５３及び７３から対応する録画データを呼び出し、ＯＳＤ回路２６を制御してテープ録画内容の一覧表示を行う。尚、抽出したＶＴＲ製造番号が再生するＶＴＲの製造番号と一致しない場合は、そのことを表示して処理を終了する。
【００５２】
図４はその一覧表示画面の一例である。ここで、４０１は表示画面のタイトル、４０２は挿入されたテープの管理番号と録画番組数の表示部である。４１１は画面に表示している番組が録画番組全体に対してどの当たりの部分かを示している。
【００５３】
４２１は録画番組の管理番号、４２２は録画日、４２３は番組名、４２４は開始アドレスと終了アドレスから計算した録画時間、及び４２５は録画モードの表示部である。番組名表示部４２３では、ディジタル録画の場合は番組タイトルを、アナログ録画の場合は録画開始時刻と録画チャンネルを表示する。尚、アナログ録画の場合でも、ユーザの操作により、録画開始時刻と録画チャンネルを番組タイトルに変更することができる。録画モードの表示部４２５において、「標準」はアナログ録画の標準モードを、「３倍」はアナログ録画の長時間モードを、そして「ＳＴＤ」はディジタル録画の標準モードを示し、アナログとディジタルを区別して表示する。尚、白抜きで示した部分は、予備再生で検出した現在のテープ絶対アドレスを元にして、現在のテープ位置に記録されている番組、或いはユーザにより選択された番組を示している。また、番組間に未記録部分などがある場合は、例えば、「ブランク」という文字とその部分の録画可能時間を表示し、番組の最後の部分には、例えば、「残り」という文字とその残り部分の録画可能時間を表示している。このとき、アナログ標準モードとディジタル標準モードの両方での録画可能時間を表示する。
【００５４】
４２１及び４３２はカーソルの方向を表示する部分である。４４１は白抜きで示した選択番組の録画可能時間、及び番組の最後の残り部分の録画可能時間を表示するものであり、このときも、アナログ標準モードとディジタル標準モードの両方での録画可能時間を表示する。４５１及び４５２は操作説明文の表示部である。この番組一覧表示を終了する場合は、４５２の「終了」を選択する。
【００５５】
次に、図４に示すような表示画面において、ユーザーがある番組を選択し、「再生」キーを押すと、ＶＴＲシステム制御回路５２は、先ず、サーボ回路１７及びメカニズムを早送り或いは巻き戻しモードに設定し、選択された番組の頭出しを行う。このとき、ＯＳＤ回路２６によって、例えば、図５に示すような画面をブルーバック表示する。尚、図５（Ａ）は高速サーチ中の表示画面の一例であり、（Ｂ）は停止間際における表示画面の一例である。
【００５６】
そして、頭出しが終了すると、直ちに、ＶＴＲシステム制御回路５２はアナログ映像信号処理回路２６またはディジタル映像信号処理回路４３、サーボ回路１７及びメカニズムを再生モードに設定して、ＶＴＲ１０の動作を再生状態にする。以下、先に述べた動作で選択された番組が再生され、ＴＶ９０で視聴できる。
【００５７】
一方、ユーザーがある番組を録画予約した場合などにおいては、記録したい部分を上記一覧表示画面上で選択し、「停止」キーを押すことにより、選択された部分の頭出しを行うことができる。このとき、選択できる部分は、「ブランク」や「残り」表示された部分だけでなく、いらなくなった番組を選択し、新しい番組を記録し直すこともできる。
【００５８】
ところで、本発明では、番組の先頭部分への頭出しだけでなく、番組の途中部分への頭出し（以下、この機能をタイムナビ機能と称する）も可能である。これは、テープ識別情報として記録したテープの絶対アドレスを元に、ユーザが指定した番組の途中部分を検索するものである。
【００５９】
図６にそのときの表示画面の一例を示す。ここで、６０１はこの表示画面がナイムナビ機能であることを示す表示部である。６１１は選択された番組を示し、６１２及び６１３はその番組の録画開始時刻及び録画終了時刻である。６２１及び６２２は現在のテープ位置を表示しており、６３１及び６３２は頭出しする位置を示している。ユーザはこの頭出し位置６３２をカーソルにより移動させ、「再生」又は「停止」キーを押すことにより、目的位置の頭出しが可能となる。６４１及び６４２は操作説明文の表示部でり、番組の途中ではなく、先頭部分への頭出しをする場合は、「テープナビ」キーを押して処理を終了させ、その後、「再生」又は「停止」キーを押す。尚、現在のテープ位置が選択された番組内にいない場合は、現在位置表示部６２１は「現在位置」の表示のみとし、現在位置表示部６２２は番組表示部６１１のどちらか一方の端にくる。
【００６０】
図７は以上の処理をまとめたフローチャートである。即ち、
ステップ１１（Ｓ１１）：テープ・ナビゲーション機能が「ＯＮ」に設定されているかどうかをチェックし、「ＯＦＦ」の場合は、処理を終了する。
【００６１】
ステップ１２（Ｓ１２）：テープ・ナビゲーション機能が「ＯＮ」の場合、約１秒間の予備再生を行ない、テープマップ情報を読み込む。
【００６２】
ステップ１３（Ｓ１３）：予備再生で読み込んだＶＴＲ製造番号とライブラリメモリに記憶してある製造番号とが一致するかどうかをチェックし、一致しない場合は、対象外のテープとしてなにも処理をせずに終了する。
【００６３】
ステップ１４（Ｓ１４）：タイムナビ機能が「ＯＮ」に設定されているかどうかをチェックし、「ＯＦＦ」の場合はステップ１５（Ｓ１５）へ、「ＯＮ」の場合はステップ２５（Ｓ２５）へ進む。
【００６４】
ステップ１５（Ｓ１５）及び２５（Ｓ２５）：テープ番号によってテープリスト情報／番組リスト情報を読み出し、ＯＳＤ回路２６にこれらのデータを送り、テレビ画面上に表示する。そして、カーソルを移動し番組を選択する。
【００６５】
ステップ３４（Ｓ３４）：「テープナビ」キーを押す。
【００６６】
ステップ３５（Ｓ３５）：図６に示した頭出し部分の設定用画面を表示し、カーソルでその時間帯を設定する。
【００６７】
ステップ１６（Ｓ１６）、２６（Ｓ２６）及び３６（Ｓ３６）：「再生」若しくは「停止」キーを押す。
【００６８】
ステップ１７（Ｓ１７）：ステップ１６（Ｓ１６）、２６（Ｓ２６）或いは３６（Ｓ３６）で押されたキーが「再生」か「停止」かチェックし、「再生」の場合はステップ１８（Ｓ１８）へ、「停止」の場合はステップ２８（Ｓ２８）へ進む。
【００６９】
ステップ１８（Ｓ１８）及び２８（Ｓ２８）：現在のテープ位置から選択した番組の頭出し位置に向かってテープを早送りもしくは巻戻す。このとき、図５（Ａ）に示した画面を表示する。
【００７０】
ステップ１９（Ｓ１９）及び２９（Ｓ２９）：選択番組先頭部分の約５分前に達すると、ＶＩＳＳ（VHS INDEX SEARCH SYSTEM）信号検出モードに設定し、テープの送り速度を適当に制御する。このとき、図５（Ｂ）に示した画面を表示する。ＶＩＳＳ信号を検出したらステップ１６（Ｓ１６）、２６（Ｓ２６）或いは３６（Ｓ３６）で押されたキーの動作に入る。尚、、タイムナビ機能による番組途中の頭出しの場合は、さらに、目的の場所まで早送りもしくは巻戻し、ステップ１６（Ｓ１６）、２６（Ｓ２６）或いは３６（Ｓ３６）で押されたキーの動作に入る。
【００７１】
尚、図７では示さなかったが、ユーザーがある番組を選択し、「記録」キーを押した場合は、上記と同じ頭出し処理の後、直ちに、ＶＴＲシステム制御回路５２はアナログ映像信号処理回路２６またはディジタル映像信号処理回路４３、サーボ回路１７及びメカニズムを記録モードに設定して、ＶＴＲ１０の動作を記録状態にすることもできる。そして、先に述べた動作で受信した番組が記録されると同時に、ＴＶ９０でその録画している番組が視聴できる。
【００７２】
図８は本発明による磁気記録再生装置の他の実施例を示すブロック図である。本実施例では、図１の実施例のＶＴＲ１０とＩＲＤ６０を一体化した記録再生装置１００とし、番組情報を記憶するメモリ回路５３をＩＲＤシステム制御回路７２に接続したメモリ回路７３で代用している。また、デコーダ６６は出力する映像信号をスーパーインポーズ表示やブルーバック表示にして情報をＯＳＤ表示する機能を備えており、図４及び図６に示した表示画面はＯＳＤ制御回路７４を介してこのデコーダ６６で作成するように構成している。尚、図５に示した表示画面はＶＴＲ側のＯＳＤ回路２８で作成する。
【００７３】
即ち、本実施例では、図１の実施例に対して以下の処理が異なる。
【００７４】
（１）メモリ回路７３にテープ毎及び番組毎の録画データを整理番号をつけて記憶し、アナログ番組、ディジタル番組ともに一括管理する。
【００７５】
（２）ＩＲＤシステム制御回路７２で、抽出した識別情報からメモリ回路７３に記憶した番組タイトルなどの録画データを検索する。
【００７６】
（３）ＯＳＤ制御回路７４からの制御により、デコーダ６６でその録画データを一覧表示するための信号を生成して映像信号に重畳する。
【００７７】
また、本実施例では、ディジタル映像及び音声信号の記録再生をアナログ音声信号記録再生用磁気ヘッド１３で兼用しており、８４はその記録再生信号を切り換えるスイッチ回路である。さらに、アナログ映像及び音声信号の外部入力端子２３が追加されており、２４及び３４はアナログ放送受信チューナで復調した映像及び音声信号と外部入力端子２３からの映像及び音声信号とを切り換えるスイッチ回路である。その他、図１と同一符号は同一物を示し、本発明に係るテープ・ナビゲーション機能の動作は全く同じである。
【００７８】
図９は本発明による磁気記録再生装置のさらに他の実施例を示すブロック図であり、ディジタル録画機能の無いアナログ録画専用のＶＴＲに本発明を適用した例である。本実施例では、図１及び図９におけるスイッチ回路８２及び８３が出力側ではなく、入力側に配置されている。そして、ディジタル放送番組の録画時は、スイッチ回路８２及び８３はＤ側に接続され、従来と同様にアナログ記録される。その他、図１及び図９と同一符号は同一物を示し、本発明に係るテープ・ナビゲーション機能の動作は、基本的には同じである。即ち、図４の表示画面において、ディジタル放送の録画番組は、その番組のタイトルが表示される。ただし、ディジタル放送番組でもアナログ録画となるので、録画モードは「標準」と「３倍」のみとなる。
【0079】
【発明の効果】
以上説明したように、本発明によれば、アナログ放送番組とデジタル放送番組を混在して記録した場合においても、記録された番組を容易に検索できる放送信号記録再生装置を提供することが可能になる。
【図面の簡単な説明】
【図１】本発明による磁気記録再生装置の一実施例を示すブロック図である。
【図２】録画した装置、テープ及び番組情報のライブラリメモリの一例を示すマップ図である。
【図３】ディジタル映像信号の記録トラックフォーマットの一例を示す図である。
【図４】一巻のテープに録画した番組の内容を一覧表示する画面の一例である。
【図５】番組の頭出し中に表示する画面の一例である。
【図６】番組途中部分の頭出しを設定するための表示画面の一例である。
【図７】テープ頭だし処理の手順を示すフォローチャートである。
【図８】本発明による磁気記録再生装置の他の実施例を示すブロック図である。
【図９】本発明による磁気記録再生装置のさらに他の実施例を示すブロック図である。
【符号の説明】
１７ … サーボ回路
２２ … アナログ放送受信チューナ
２５ … 識別情報付加回路
２６ … アナログ映像信号処理回路
２７ … 識別情報抽出回路
２８ … オン・スクリーン・ディスプレイ（ＯＳＤ）回路
３６ … アナログ音声信号処理回路
４２ … 識別情報付加及び分離回路
４３ … ディジタル信号処理回路
５０ … 通信線
５２ … ＶＴＲシステム制御回路
５３ … メモリ回路
６２ … ディジタル放送受信チューナ
６３ … インターフェース回路
６４ … スイッチ回路
６６ … デコーダ
６７ … 番組情報抽出回路
７２ … ＩＲＤシステム制御回路
７３ … メモリ回路
７４ … オン・スクリーン・ディスプレイ（ＯＳＤ）制御回路
８２、８３、８４ … スイッチ回路
【図１】
0003677951.tif 000002
【図２】
0003677951.tif 000003
【図３】
0003677951.tif 000004
【図４】
0003677951.tif 000005
【図５】
0003677951.tif 000006
【図６】
0003677951.tif 000007
【図７】
0003677951.tif 000008
【図８】
0003677951.tif 000009
【図９】
0003677951.tif 000010